(57)【要約】      （修正有）【課題】蛍光体染料部を用いることなく、紫外線照射ランプの出力状態を視認することが可能な紫外線照射装置の提供。【解決手段】可視光及び紫外光を含む照射光を発する発光ランプ２０と、発光ランプ２０及び流体が流れ、かつ前記照射光を透過する導管を収容する収容空間３１を有し、かつ収容空間３１の内部と外部との間を貫通する貫通孔３２を有するカバー部材３０と、貫通孔３２を塞ぎ、かつ前記可視光に対する透過性を有する性質を有する閉塞部材４０と、を有する紫外線照射装置。【選択図】図２
2019202238.tif 000002
【特許請求の範囲】
【請求項１】
可視光及び紫外光を含む照射光を発する発光ランプと、
前記発光ランプ及び流体が流れ、かつ前記照射光を透過する導管を収容する収容空間を有し、かつ前記収容空間の内部と外部との間を貫通する貫通孔を有するカバー部材と、
前記貫通孔を塞ぎ、かつ前記可視光に対する透過性を有する性質を有する閉塞部材と、
を有することを特徴とする紫外線照射装置。
【請求項２】
前記閉塞部材は、前記貫通孔の貫通方向における厚さが互いに異なる第１の領域と第２の領域とを有していることを特徴とする請求項１に記載の紫外線照射装置。
【請求項３】
前記第１の領域及び前記第２の領域は、互いに異なる色を有することを特徴とする請求項２に記載の紫外線照射装置。
【請求項４】
前記貫通孔は、前記カバー部材に複数設けられ、
前記閉塞部材は、前記貫通孔の数に応じて複数設けられ、
前記閉塞部材の各々は、前記貫通孔の貫通方向における厚さが互いに異なることを特徴とする請求項１乃至３のいずれかに記載の紫外線照射装置。
【請求項５】
前記閉塞部材の各々は、互いに異なる色を有することを特徴とする請求項４に記載の紫外線照射装置。
【請求項６】
前記貫通孔の内壁は、前記貫通孔の貫通方向に対して垂直方向に窪んでいる凹部を有し、
前記閉塞部材は、前記凹部に嵌合する凸部を有することを特徴とする請求項１乃至５のいずれかに記載の紫外線照射装置。
【請求項７】
前記貫通孔の前記収容空間側の開口端は、前記外部に向かって窄まるように形成されていることを特徴とする請求項１乃至６のいずれかに記載の紫外線照射装置。
【請求項８】
前記閉塞部材は、弾性体であり、かつ、前記照射光に含まれている前記可視光に応じた色を有することを特徴とする請求項１乃至７のいずれかに記載の紫外線照射装置。
【発明の詳細な説明】
【技術分野】
【０００１】
本発明は、例えば、水殺菌用装置に用いられる紫外線照射装置に関する。
【背景技術】
【０００２】
紫外光は、細菌の原形質である核酸に作用して細菌を死滅させる、すなわち殺菌することができる。紫外光を発する紫外線照射ランプは、使用時間に伴って次第に出力が低下する。
【０００３】
したがって、紫外線照射ランプの出力は、使用時間に伴って所望の細菌の殺菌率を得るのに必要な出力より低くなる。このため、紫外線照射ランプの出力が、一定の基準出力よりも低下した場合には、紫外線照射ランプを交換することが必要である。
【０００４】
そこで、紫外光を蛍光体染料部に照射して可視光に変換し、当該可視光の強度変化を目視することで紫外線照射ランプの出力変化を監視することが可能な使用時水処理装置が特許文献１に開示されている。
【先行技術文献】
【特許文献】
【０００５】
【特許文献１】特許第４３５８７８０号
【発明の概要】
【０００６】
しかし、特許文献１の使用時水処理装置の蛍光体染料部は、紫外光を可視光に変換する際に発熱する。ここで、水を効率的に殺菌するために適した温度域がある。このため、蛍光体染料部の発熱により水温が上昇すると、殺菌効率が低下する問題がある。
【０００７】
本発明は上記した点に鑑みてなされたものであり、蛍光体染料部を用いることなく、紫外線照射ランプの出力状態を視認することが可能な紫外線照射装置を提供することを目的としている。
【課題を解決するための手段】
【０００８】
上述した目的を達成するため、本発明の紫外線照射装置は、可視光及び紫外光を含む照射光を発する発光ランプと、前記発光ランプ及び流体が流れ、かつ前記照射光を透過する導管を収容する収容空間を有し、かつ前記収容空間の内部と外部との間を貫通する貫通孔を有するカバー部材と、前記貫通孔を塞ぎ、かつ前記可視光に対する透過性を有する性質を有する閉塞部材と、を有することを特徴とする。
【図面の簡単な説明】
【０００９】
【図１】実施例１に係る紫外線照射装置の平面図である。
【図２】図１のＡ−Ａ線に沿った紫外線照射装置の断面図である。
【図３Ａ】図１の閉塞部材の平面図である。
【図３Ｂ】図１の閉塞部材の側面図である。
【図４】紫外発光ランプの発光スペクトルを示すグラフである。
【図５】図４の特定の波長域を拡大したグラフである。
【図６】紫外線照射装置の外部で観測された発光スペクトルを示すグラフである。
【図７】紫外線照射装置の外部で観測された発光スペクトルを示すグラフである。
【図８】紫外光照度比と可視光照度比との関係を示すグラフである。
【図９】図１の閉塞部材の厚みと、可視光照度比の関係を示したグラフである。
【図１０】図１の閉塞部材の厚みと、可視光照度比の関係を示したグラフである。
【図１１】実施例２に係る紫外線照射装置の平面図である。
【図１２Ａ】図１１の閉塞部材の平面図である。
【図１２Ｂ】図１１の閉塞部材の側面図である。
【図１３Ａ】変形例の紫外線照射装置に係る閉塞部材の平面図である。
【図１３Ｂ】変形例の紫外線照射装置に係る閉塞部材の側面図である。
【図１４】実施例３に係る紫外線照射装置の平面図である。
【図１５Ａ】図１４のＢ−Ｂ線に沿った紫外線照射装置の断面図である。
【図１５Ｂ】図１４のＣ−Ｃ線に沿った紫外線照射装置の断面図である。
【発明を実施するための形態】
【００１０】
以下に本発明の好適な実施例を詳細に説明する。尚、以下の説明及び添付図面においては、実質的に同一又は等価な部分には同一の参照符号を付している。
【実施例１】
【００１１】
図１は、本発明の実施例である紫外線照射装置としての水殺菌装置１００の平面を示している。図１に示すように、水殺菌装置１００は、紫外光を水に照射することで、当該水に含まれる細菌を死滅させる、すなわち殺菌する装置である。
【００１２】
紫外発光ランプ２０は、可視光及び紫外光を含む照射光を発する。紫外発光ランプ２０には、例えば、キセノンフラッシュランプ、アーク放電ランプ、水銀ランプ等を用いることができる。紫外発光ランプ２０は、略円筒状に形成されている。紫外発光ランプ２０は、コネクタＣＮを介して電源に接続されている。
【００１３】
内部に水が流れ、かつ紫外発光ランプ２０が発した照射光を透過する導管としての通水管Ｐは、紫外発光ランプ２０の長手方向に沿って円筒状に形成されている。通水管Ｐは、例えば、石英ガラス、合成石英、溶融石英、合成サファイア等を用いて形成されている。
【００１４】
カバー部材３０は、略直方体の筒状に形成されている。カバー部材３０は、紫外光を透過しない材料で形成されている。紫外光を透過しない材料としては、例えばＡＢＳ（Acrylonitrile Butadiene Styrene）樹脂等が挙げられる。カバー部材３０は、紫外発光ランプ２０及び通水管Ｐを収容する収容空間（図示せず）を有する。
【００１５】
図２は、図１のＡ−Ａ線に沿った水殺菌装置１００の断面を示している。図２に示すように、カバー部材３０は、半割状の２つの管部材３０ａ，３０ｂによって構成されている。２つの管部材３０ａ，３０ｂは、ボルトで締結されることによって互いに固定されている。
【００１６】
カバー部材３０の収容空間３１は、通水管Ｐを透過した照射光が再び通水管Ｐに照射されるように曲面を有して形成されている。具体的には、収容空間３１は、円弧状に窪んで形成されている。尚、収容空間３１の内周面には、紫外光を反射する反射部材を設けるとよい。反射部材は、例えばアルミ等の金属を用いることができる。反射部材を設けることによって、通水管Ｐを透過した照射光をより効率的に通水管Ｐに向けて反射させることができる。
【００１７】
また、通水管Ｐ内の水が流れる方向における収容空間３１の一端には、通水管Ｐの一端及び紫外発光ランプの一端と嵌合して支持する第１の支持部（図示せず）が形成されている。通水管Ｐ内の水が流れる方向における収容空間３１の他端には、通水管Ｐの他端及び紫外発光ランプの他端と嵌合して支持する第２の支持部（図示せず）が形成されている。したがって、紫外発光ランプ２０及び通水管Ｐは、第１の支持部及び第２の支持部によって収容空間３１内で支持されている。
【００１８】
また、カバー部材３０は、収容空間３１の内部と外部との間を貫通する貫通孔３２を有する。したがって、紫外発光ランプ２０から発せられた照射光の一部は、貫通孔３２に入射される。貫通孔３２の収容空間３１側の開口端は、収容空間３１の外部に向かって窄まるように形成されている。
【００１９】
貫通孔３２の内壁は、貫通孔３２の貫通方向に対して垂直方向に窪んでいる凹部３３を有する。貫通孔３２の凹部３３には、貫通孔３２を塞ぎ、かつ可視光に対する透過性を有する性質を有する閉塞部材４０が設けられている。
【００２０】
図３Ａは、閉塞部材４０の平面を示している。図３Ｂは、閉塞部材４０の側面を示している。図３Ａ及び３Ｂに示すように、閉塞部材４０は、円板状に形成され、かつ凹部３３と嵌合する凸部としての土台部４１と、土台部４１から突出している円板状の突出部４２と、を有している。突出部４２は、貫通孔３２の幅方向が土台部４１よりも短く、かつ、貫通孔３２の幅と同等に形成されている。
【００２１】
言い換えれば、閉塞部材４０は、貫通孔３２の貫通方向における厚さが互いに異なる第１の領域Ａと第２の領域Ｂを有している。第１の領域Ａは、第２の領域Ｂよりも貫通孔３２の貫通方向における厚さが厚く形成されている。
【００２２】
したがって、閉塞部材４０の突出部４２を貫通孔３２に挿入し、土台部４１を貫通孔３２の開口端にあてつつ、収容空間３１の外部に向かって押し込むことによって、土台部４１が凹部３３に嵌合される。この際、開口端が窄まって形成されていることにより、閉塞部材４０に対する摩擦抵抗は軽減される。したがって容易に閉塞部材４０を凹部３３に固定することが可能となる。
【００２３】
閉塞部材４０は、紫外光に対する吸収性を有する。閉塞部材４０は、例えば、シリコーンゴムである。閉塞部材４０は、紫外線吸収剤及び紫外線散乱材のうち、少なくともいずれか１つを含んでいる。
【００２４】
紫外線吸収剤としては、例えば、メトキシケイヒ酸オクチル、ジメトキシベンジリデンジオキソイミダゾリジンプロピオン酸オクチル、ジエチルアミノヒドロキシベンゾイル安息香酸ヘキシル、ｔ−ブチルメトキシジベンゾイルメタン、オクチルトリアゾン、パラメトキシケイ皮酸２−エチルヘキシル等が挙げられる。
【００２５】
紫外線散乱剤としては、酸化亜鉛、酸化チタン等が挙げられる。
【００２６】
また、閉塞部材４０は、照射光が含む可視光に応じた色、例えば、赤色、緑色を有する。尚、閉塞部材４０は、紫外線吸収剤及び紫外線散乱材のうち、少なくともいずれか１つを含んでいればシリコーンゴム以外であってもよく、例えば、アクリル樹脂、ウレタン樹脂及びポリカーボネート等の樹脂素材又は、ガラス等の無機素材であってもよい。
【００２７】
図４は、紫外発光ランプ２０の発光スペクトルを示している。紫外発光ランプ２０は、例えば、紫外領域においては２５４ｎｍ付近にピークを有し、可視領域においては、３２０，３７０，４１０，４３０，５４５ｎｍ（緑色）付近にピークを有している。尚、相対強度とは、検出器で検出した光の強度に比例した数値である。
【００２８】
図５は、図４の６００〜８００ｎｍにおけるスペクトルの拡大図である。図５に示すように、本実施例に用いられる紫外発光ランプ２０は、７７０ｎｍ付近にピークを有している。
【００２９】
このように、本実施例に用いられる紫外発光ランプ２０は、紫外領域においては、２５４ｎｍ付近にピークを有し、可視領域においては、少なくとも、５４５ｎｍ（緑色）、７７０ｎｍ（赤色）付近にピークを有している。
【００３０】
図６は、緑色を有する閉塞部材４０を水殺菌装置１００に取り付けた場合における、収容空間３１の外部であって貫通孔３２付近で観測された発光スペクトルを示している。
【００３１】
図６に示すように、収容空間３１の外部では２５４ｎｍ付近のピークはほとんど検出されない一方で、５４５ｎｍ付近のピークが検出されている。したがって、紫外発光ランプ２０で発せられた紫外光のほとんどは、閉塞部材４０によって遮断され、収容空間３１の外部に放出されない。一方で、紫外発光ランプ２０で発せられた照射光に含まれる可視光は、閉塞部材４０を透過し、収容空間３１の外部に放出される。
【００３２】
図７は、赤色を有する閉塞部材４０を水殺菌装置１００に取り付けた場合における、収容空間３１の外部であって貫通孔３２付近で観測された発光スペクトルを示している。
【００３３】
図７に示すように、収容空間３１の外部では２５４ｎｍ付近のピークはほとんど検出されない。一方で、７７０ｎｍ付近のピークが検出されている。したがって、紫外発光ランプ２０で発せられた紫外光のほとんどは、閉塞部材４０によって吸収され収容空間３１の外部に放出されない。一方で、紫外発光ランプ２０で発せられた照射光に含まれる可視光は、閉塞部材４０を透過し収容空間３１の外部に放出される。
【００３４】
図８は、紫外光照度比と可視光照度比との関係を示している。紫外光照度比は、紫外発光ランプ２０で発せられた照射光に含まれる紫外光の照度の比を表している。具体的には、紫外発光ランプ２０の点灯開始時の紫外光の照度を基準とし、点灯時間に応じた紫外光の照度の比を表している。また、可視光照度比は、紫外発光ランプ２０の点灯開始時の可視光の照度を基準とし、点灯時間に応じた可視光の照度の比を表している。
【００３５】
図中の実線は、近似曲線を示している。ここで、「ｘ」を可視光照度比、「ｙ」を紫外光照度比とした場合、近似曲線は、次のように表せる。
ｙ＝１．０１９ｘ0.5786
図８に示すように、この近似曲線によれば、紫外光照度比は、可視光照度比の低下に伴って低下する。例えば、紫外光照度比は、可視光照度比が３０％の場合に５０％となる。このように、可視光照度比を観測することで、紫外光照度比を観測することができる。
【００３６】
尚、紫外発光ランプ２０の紫外光照度比が５０％のときを基準として規定した場合を説明する。したがって、可視光照度比が３０％となるときを観測できるようにすると、紫外光照度比の基準を観測することができる。尚、この基準は、使用者の任意で変更することが可能である。
【００３７】
ここで、可視光の照度は０．１ｌｘ以下であると目視によって観測することはできない。そこで、紫外光照度比の基準を目視するためには、紫外光照度比が当該基準に達したときに可視光の照度が０．１ｌｘ以下になるように設定するとよい。
【００３８】
図９は、貫通孔３２の形成方向の閉塞部材４０（緑色）の長さ、すなわち、閉塞部材４０の厚みと、印加電圧を２４Ｖで紫外発光ランプ２０作動させた場合の可視光照度の関係を示している。尚、図中の実線は近似曲線を示している。ここで、「ｘ」を閉塞部材４０の厚み、「ｙ」を可視光照度比とした場合、近似曲線は、次のように表せる。
ｙ＝５９．０１２ｘ-3.138
図９に示すように、閉塞部材４０の厚みが２ｍｍの場合、可視光照度は８ｌｘである。すなわち、可視光照度比が３０％のとき、可視光照度は２ｌｘ以上あり、紫外光照度比の基準を目視によって観測することは困難である。
【００３９】
また、閉塞部材４０の厚みが８ｍｍの場合、可視光照度は０．１ｌｘである。すなわち、紫外光照度比が基準以上であっても可視光照度は０．１ｌｘ以下となるため、紫外光照度比の基準を目視によって観測することは困難である。
【００４０】
閉塞部材４０の厚みが５．２ｍｍの場合、可視光照度は０．３３ｌｘである。すなわち、紫外光照度比が基準のときに可視光照度は０．１ｌｘとなるため、当該基準を目視によって観測することできる。
【００４１】
図１０は、貫通孔３２の形成方向の閉塞部材４０（赤色）の長さ、すなわち、閉塞部材４０の厚みと、印加電圧を２４Ｖで紫外発光ランプ２０を作動させた場合の可視光照度の関係を示している。尚、図中の実線は近似曲線を示している。ここで、「ｘ」を閉塞部材４０の厚み、「ｙ」を可視光照度比とした場合、近似曲線は、次のように表せる。
ｙ＝５．１６９ｘ-1.354
図１０に示すように、閉塞部材４０の厚みが２ｍｍの場合、可視光照度は２ｌｘである。すなわち、可視光照度比が３０％のとき、可視光照度は０．６ｌｘ以上あり、当該基準を目視によって観測することは困難である。
【００４２】
閉塞部材４０の厚みが７．６ｍｍの場合、可視光照度は０．３３ｌｘである。すなわち、紫外光照度比が基準のときに可視光照度は０．１ｌｘとなるため、当該基準を目視によって観測することできる。
【００４３】
以上のように、本実施例の紫外線照射装置１００によれば、照射光に含まれている可視光の出力と紫外光の出力の相関性に基づいて、紫外光の出力の変化を可視光の強度変化によって観測することが可能である。
【００４４】
したがって、本実施例の紫外線照射装置１００は、紫外光を可視光に変換せずに、照射光に含まれている可視光の強度変化によって紫外発光ランプ２０の紫外光の出力状態を視認することができる。すなわち、本実施例の紫外線照射装置１００は、紫外光を可視光に変換する際の熱が発生しないため、殺菌効率の低下を招くことがない。したがって、ユーザは、可視光の強度変化を目視するだけで、紫外光を発する紫外発光ランプ２０の出力状態、例えば交換寿命を視認することができる。
【００４５】
具体的には、照射光の紫外光照度比が基準に達するまでは、ユーザは、突出部４２の点灯を目視できる。照射光の紫外光照度比が基準に達すると、ユーザは、突出部４２の消灯を目視できる。このような出力状態の変化を閉塞部材４０の消灯によって観測することで、ユーザは、紫外光照度比が基準に到達したことを目視することが可能となる。
【実施例２】
【００４６】
実施例２に係る水殺菌装置１００について説明する。実施例２に係る水殺菌装置１００は、実施例１の水殺菌装置１００とは、閉塞部材４０の形状が異なる。その他の構成については、実施例１の水殺菌装置１００と同一である。
【００４７】
図１１は、実施例２に係る水殺菌装置１００の平面を示している。図１１に示すように、収容空間３１の外部からは、閉塞部材４０の土台部４１と、突出部４２とが見えている。
【００４８】
図１２Ａは、閉塞部材４０の平面を示している。図１２Ｂは、閉塞部材４０の側面を示している。図１２Ａ及び１２Ｂに示すように、突出部４２は、貫通孔３２の幅方向が土台部４１よりも短く、かつ、貫通孔３２の幅よりも短く形成されている。
【００４９】
ここで、目視できる可視光の強度には、個人差があり得る。例えば、可視光に対して鋭敏に網膜が反応し、相対的に微弱な光を観測することができるユーザは、紫外光照度比が基準の出力に達すると、突出部４２が消灯し、土台部４１のみが点灯していることが目視し得る。このような紫外発光ランプ２０の出力状態の変化を閉塞部材４０の消灯によって観測することで、紫外光照度比が基準に到達したことを目視することが可能となる。
【００５０】
これに対して、可視光に対する網膜の反応が相対的に弱く、微弱な光を検知しにくい人は、照射光の紫外光照度比が基準の出力に達すると、突出部４２及び土台部４１の両方が消灯していることが目視できる。このような紫外発光ランプ２０の出力状態の変化を閉塞部材４０の消灯によって観測することで、紫外光照度比が基準に到達したことを目視することが可能となる。
【００５１】
このように、本実施例に係る水殺菌装置１００によれば、目視できる可視光の強度の個人差よらず、ユーザは、紫外光照度比が基準に達したことを目視することが可能となる。
【００５２】
尚、第１の領域Ａと第２の領域Ｂとは、互いに異なる色を有するようにしてもよい。このように閉塞部材４０が構成されていることで、土台部４１が突出部４２と異なる色で点灯するため、ユーザは、紫外光照度比が基準に達していることを目視することが容易になる。
【００５３】
また、第１の領域Ａの全体が第２の領域Ｂと互いに異なる色を有する場合だけでなく、第１の領域Ａの一部が第２の領域Ｂと互いに異なる色を有するようにしてもよい。例えば、土台部４１と突出部４２とは、互いに異なる色を有するようにしてもよい。
【００５４】
[変形例]
実施例１及び２においては、閉塞部材４０は、土台部４１と突出部４２とで構成されているものであった。突出部４２は、突出方向に向かうにしたがって、貫通孔３２の幅方向の長さが短くなる段状に形成されているようにしてもよい。
【００５５】
図１３Ａは、変形例に係る水殺菌装置１００の閉塞部材４０の平面図である。図１３Ｂは、変形例に係る水殺菌装置１００の側面図である。図１３Ａ及び１３Ｂに示すように、突出部４２は、突出方向に向かうにしたがって、貫通孔３２の幅方向の長さが短くなる段状に形成されている。具体的には、突出部４２は、土台部４１から突出して形成されている第１の突出部４２ａと、第１の突出部４２ａから突出して形成されている第２の突出部４２ｂと、を有する。
【００５６】
第１の突出部４２ａは、土台部４１よりも貫通孔３２の幅方向が短く、かつ貫通孔３２の幅方向よりも短く形成されている。第２の突出部４２ｂは、貫通孔３２の幅方向よりも短く、かつ第１の突出部４２ａよりも貫通孔３２の幅方向が短く形成されている。
【００５７】
尚、第１の突出部４２ａと第２の突出部４２ｂとは、互いに異なる色を有するようにしてもよい。言い換えれば、突出部４２は、収容空間３１の外部からみたときに貫通孔３２の貫通方向の長さに応じた異なる色を有するようにしてもよい。
【００５８】
このように閉塞部材４０が構成されていることで、ユーザは、第１の突出部４２ａが第２の突出部４２ｂと異なる色で点灯しているように見えるため、紫外光照度比が基準に達していることを認識することが容易になる。
【００５９】
例えば、ユーザは、紫外光照度比が基準よりも十分に高い状態では、第１の突出部４２ａ及び第２の突出部４２ｂの両方が点灯していることを目視することができる。また、ユーザは、紫外光照度比が基準に近い状態では、第１の突出部４２ａのみが点灯していることを目視することができる。さらに、紫外光照度比が基準の状態では、第１の突出部４２ａ及び第２の突出部４２ｂの両方が消灯していることを目視することができる。
【００６０】
以上のように、本変形例の水殺菌装置１００によれば、ユーザは、紫外発光ランプ２０の出力状態の変化を段階的に目視することができる。このため、ユーザは、適切な紫外発光ランプ２０の交換時期を推測することが可能となる。
【実施例３】
【００６１】
実施例３に係る水殺菌装置１００について説明する。実施例３に係る水殺菌装置１００は、実施例１の水殺菌装置１００とは、貫通孔３２及び閉塞部材４０が複数設けられている点で異なる。その他の構成については、実施例１の水殺菌装置１００と同一である。
【００６２】
図１４は、実施例３に係る水殺菌装置１００の平面を示している。図１４に示すように、カバー部材３０には、２つの貫通孔３２ａ，３２ｂが設けられている。閉塞部材４０は、貫通孔の数に応じて複数設けられている。
【００６３】
具体的には、一方の貫通孔３２ａには、当該貫通孔３２ａを塞ぐ閉塞部材４０ａが設けられている。他方の貫通孔３２ｂには、当該貫通孔３２ｂを塞ぐ閉塞部材４０ｂが設けられている。
【００６４】
図１５Ａは、図１４のＢ−Ｂ線に沿った水殺菌装置１００の断面を示している。図１５Ｂは、図１４のＣ−Ｃ線に沿った水殺菌装置１００の断面を示している。図１５Ａ及び１５Ｂに示すように、閉塞部材４０ａ，４０ｂの各々は、貫通孔３２の貫通方向における厚さが互いに異なる。具体的には、貫通孔３２ａを塞ぐ閉塞部材４０ａは、貫通孔３２ｂを塞ぐ閉塞部材４０ｂよりも貫通孔３２の貫通方向における厚さが厚い。
【００６５】
以上のように、本実施例に係る水殺菌装置１００によれば、閉塞部材４０ａ，４０ｂの厚さを適宜調整することにより、目視できる可視光の強度の個人差よらず、ユーザは、紫外光照度比が基準に達したことを目視することが可能となる。具体的には、相対的に微弱な光を観測することができるユーザは、紫外光照度比が基準の出力に達すると、閉塞部材４０ａが消灯し、閉塞部材４０ｂのみが点灯していることが目視できる。このような紫外発光ランプ２０の出力状態の変化を閉塞部材４０ａの消灯によって観測することで、紫外光照度比が基準に到達したことを目視することが可能となる。
【００６６】
また、微弱な光を検知しにくい人は、照射光の紫外光照度比が基準の出力に達すると、閉塞部材４０ａ及び閉塞部材４０ｂの両方が消灯していることが目視できる。このような紫外発光ランプ２０の出力状態の変化を閉塞部材４０ａ，４０ｂの消灯によって観測することで、紫外光照度比が基準に到達したことを目視することが可能となる。
【００６７】
尚、閉塞部材４０ａ，４０ｂの各々は、互いに異なる色を有するようにしてもよい。このように閉塞部材４０ａ，４０ｂの各々が互いに異なる色を有することにより、閉塞部材４０ａ，４０ｂの点灯及び消灯を容易に目視することが可能となる。
【符号の説明】
【００６８】
１００  水殺菌装置
２０  紫外発光ランプ
３０  カバー部材
３１  収容空間
３２  貫通孔
３３  凹部
４０  閉塞部材
４１  土台部
４２  突出部
【図１】
2019202238.tif 000003
【図２】
2019202238.tif 000004
【図３Ａ】
2019202238.tif 000005
【図３Ｂ】
2019202238.tif 000006
【図４】
2019202238.tif 000007
【図５】
2019202238.tif 000008
【図６】
2019202238.tif 000009
【図７】
2019202238.tif 000010
【図８】
2019202238.tif 000011
【図９】
2019202238.tif 000012
【図１０】
2019202238.tif 000013
【図１１】
2019202238.tif 000014
【図１２Ａ】
2019202238.tif 000015
【図１２Ｂ】
2019202238.tif 000016
【図１３Ａ】
2019202238.tif 000017
【図１３Ｂ】
2019202238.tif 000018
【図１４】
2019202238.tif 000019
【図１５Ａ】
2019202238.tif 000020
【図１５Ｂ】
2019202238.tif 000021